【手続補正書】
【提出日】平成20年8月29日(2008.8.29)
【手続補正１】
【補正対象書類名】明細書
【補正対象項目名】特許請求の範囲
【補正方法】変更
【補正の内容】
【特許請求の範囲】
【請求項１】
基本画像を変更した派生画像を符号化する画像処理装置であって、
前記基本画像の画像データを複数の周波数帯域の変換係数に変換する第１変換手段と、
前記第１変換手段により得られた前記変換係数のそれぞれを量子化する第１量子化手段と、
前記第１量子化手段により量子化された各周波数帯域の前記変換係数を任意の大きさの第１コードブロックに分割する第１コードブロック分割手段と、
前記第１コードブロック分割手段により分割された前記第１コードブロックのそれぞれをエントロピー符号化する第１エントロピー符号化手段と、
前記第１エントロピー符号化手段により符号化され生成された符号化データから前記基本画像の符号化データを生成する基本画像符号化データ生成手段と、
前記派生画像において前記基本画像と画素値が異なる変更領域に関わる第２コードブロックを生成する画素を算出する算出手段と、
前記算出手段により算出された前記画素を複数の周波数帯域の係数に変換する第２変換手段と、
前記第２変換手段により得られた各周波数帯域の係数を量子化する第２量子化手段と、
前記第２量子化手段により量子化された各周波数帯域の係数を任意の大きさのコードブロックに分割する第２コードブロック分割手段と、
前記第２コードブロック分割手段により分割されたコードブロックをエントロピー符号化する第２エントロピー符号化手段と、
前記第２エントロピー符号化手段により符号化されて生成された符号化データから前記第２コードブロックの符号化データを生成するコードブロック符号化データ生成手段と、
前記コードブロック符号化データ生成手段により生成された前記第２コードブロックの符号化データにより、前記基本画像符号化データ生成手段において生成された前記基本画像の符号化データの対応する符号化されたコードブロックを入れ換えることにより前記派生画像の符号化データを生成する派生画像符号化データ生成手段と、
を有することを特徴とする画像処理装置。
【請求項２】
前記第１及び２変換手段は離散ウェーブレット変換により変換することを特徴とする請求項１に記載の画像処理装置。
【請求項３】
前記第１及び２変換手段は、低周波帯域を再帰的に分割することを特徴とする請求項２に記載の画像処理装置。
【請求項４】
前記基本画像の画像データを複数のタイルに分割する分割手段を更に有し、
前記第１変換手段は、前記分割手段により分割された各タイルの画像データを変換することを特徴とする請求項１に記載の画像処理装置。
【請求項５】
基本画像を変更した派生画像を符号化する画像処理方法であって、
前記基本画像の画像データを複数の周波数帯域の変換係数に変換する第１変換工程と、
前記第１変換工程で得られた前記変換係数のそれぞれを量子化する第１量子化工程と、
前記第１量子化工程で量子化された各周波数帯域の前記変換係数を任意の大きさの第１コードブロックに分割する第１コードブロック分割工程と、
前記第１コードブロック分割工程で分割された前記第１コードブロックのそれぞれをエントロピー符号化する第１エントロピー符号化工程と、
前記第１エントロピー符号化工程で符号化され生成された符号化データから前記基本画像の符号化データを生成する基本画像符号化データ生成工程と、
前記派生画像において前記基本画像と画素値が異なる変更領域に関わる第２コードブロックを生成する画素を算出する算出工程と、
前記算出工程により算出された前記画素を複数の周波数帯域の係数に変換する第２変換工程と、
前記第２変換工程で得られた各周波数帯域の係数を量子化する第２量子化工程と、
前記第２量子化工程で量子化された各周波数帯域の係数を任意の大きさのコードブロックに分割する第２コードブロック分割工程と、
前記第２コードブロック分割工程で分割されたコードブロックをエントロピー符号化する第２エントロピー符号化工程と、
前記第２エントロピー符号化工程で符号化されて生成された符号化データから前記第２コードブロックの符号化データを生成するコードブロック符号化データ生成工程と、
前記コードブロック符号化データ生成工程で生成された前記第２コードブロックの符号化データにより、前記基本画像符号化データ生成工程で生成された前記基本画像の符号化データの対応する符号化されたコードブロックを入れ換えることにより前記派生画像の符号化データを生成する派生画像符号化データ生成工程と、
を有することを特徴とする画像処理方法。
【請求項６】
前記第１及び２変換工程では離散ウェーブレット変換により前記変換係数を求めることを特徴とする請求項５に記載の画像処理方法。
【請求項７】
前記第１及び２変換工程では、低周波帯域を再帰的に分割することを特徴とする請求項６に記載の画像処理方法。
【請求項８】
前記基本画像の画像データを複数のタイルに分割する分割工程を更に有し、前記第１変換工程では、前記分割工程で分割された各タイルの画像データを変換することを特徴とする請求項５に記載の画像処理方法。
【請求項９】
請求項５乃至８のいずれか１項に記載の画像処理方法をコンピュータに実行させるためのプログラムを記憶したことを特徴とする、コンピュータにより読み取り可能な記憶媒体。
【請求項１０】
請求項５乃至８のいずれか１項に記載の画像処理方法をコンピュータに実行させるためのプログラム。
【手続補正２】
【補正対象書類名】明細書
【補正対象項目名】０００８
【補正方法】変更
【補正の内容】
【０００８】
【課題を解決するための手段】
上記目的を達成するために本発明の画像処理装置は以下のような構成を備える。即ち、
基本画像を変更した派生画像を符号化する画像処理装置であって、
前記基本画像の画像データを複数の周波数帯域の変換係数に変換する第１変換手段と、前記第１変換手段により得られた前記変換係数のそれぞれを量子化する第１量子化手段と、前記第１量子化手段により量子化された各周波数帯域の前記変換係数を任意の大きさの第１コードブロックに分割する第１コードブロック分割手段と、前記第１コードブロック分割手段により分割された前記第１コードブロックのそれぞれをエントロピー符号化する第１エントロピー符号化手段と、前記第１エントロピー符号化手段により符号化され生成された符号化データから前記基本画像の符号化データを生成する基本画像符号化データ生成手段と、前記派生画像において前記基本画像と画素値が異なる変更領域に関わる第２コードブロックを生成する画素を算出する算出手段と、前記算出手段により算出された前記画素を複数の周波数帯域の係数に変換する第２変換手段と、前記第２変換手段により得られた各周波数帯域の係数を量子化する第２量子化手段と、前記第２量子化手段により量子化された各周波数帯域の係数を任意の大きさのコードブロックに分割する第２コードブロック分割手段と、前記第２コードブロック分割手段により分割されたコードブロックをエントロピー符号化する第２エントロピー符号化手段と、前記第２エントロピー符号化手段により符号化されて生成された符号化データから前記第２コードブロックの符号化データを生成するコードブロック符号化データ生成手段と、前記コードブロック符号化データ生成手段により生成された前記第２コードブロックの符号化データにより、前記基本画像符号化データ生成手段において生成された前記基本画像の符号化データの対応する符号化されたコードブロックを入れ換えることにより前記派生画像の符号化データを生成する派生画像符号化データ生成手段とを有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記目的を達成するために本発明の画像処理方法は以下のような工程を備える。即ち、
基本画像を変更した派生画像を符号化する画像処理方法であって、
前記基本画像の画像データを複数の周波数帯域の変換係数に変換する第１変換工程と、前記第１変換工程で得られた前記変換係数のそれぞれを量子化する第１量子化工程と、前記第１量子化工程で量子化された各周波数帯域の前記変換係数を任意の大きさの第１コードブロックに分割する第１コードブロック分割工程と、前記第１コードブロック分割工程で分割された前記第１コードブロックのそれぞれをエントロピー符号化する第１エントロピー符号化工程と、前記第１エントロピー符号化工程で符号化され生成された符号化データから前記基本画像の符号化データを生成する基本画像符号化データ生成工程と、前記派生画像において前記基本画像と画素値が異なる変更領域に関わる第２コードブロックを生成する画素を算出する算出工程と、前記算出工程により算出された前記画素を複数の周波数帯域の係数に変換する第２変換工程と、前記第２変換工程で得られた各周波数帯域の係数を量子化する第２量子化工程と、前記第２量子化工程で量子化された各周波数帯域の係数を任意の大きさのコードブロックに分割する第２コードブロック分割工程と、前記第２コードブロック分割工程で分割されたコードブロックをエントロピー符号化する第２エントロピー符号化工程と、前記第２エントロピー符号化工程で符号化されて生成された符号化データから前記第２コードブロックの符号化データを生成するコードブロック符号化データ生成工程と、前記コードブロック符号化データ生成工程で生成された前記第２コードブロックの符号化データにより、前記基本画像符号化データ生成工程で生成された前記基本画像の符号化データの対応する符号化されたコードブロックを入れ換えることにより前記派生画像の符号化データを生成する派生画像符号化データ生成工程とを有することを特徴とする。
【手続補正５】
【補正対象書類名】明細書
【補正対象項目名】００１１
【補正方法】削除
【補正の内容】